(57)【要約】【課題】  簡単な成形作業により、製品強度を高めつつ色の濃淡を表出させることができるようにすること。【解決手段】  樹脂成形品である洗面ボウル１０及びパネル材５１は、成形後に透光性を発揮する樹脂材料を成形型内に注入することにより成形される。これらの樹脂成形品は、肉厚が略一定となる成形品本体１１，５１と、当該成形品本体の一方の面に一体成形された突条からなる肉厚部２１，５２，６２とを備えている。肉厚部２１，５２は、その延出方向に沿う肉厚と、当該延出方向に対して略同一面内で直交する方向の幅が次第に増加若しくは減少する形状とされている。肉厚部は、成形品本体１１，５１の補強部として作用する他、厚み変化により樹脂成形品の面内で濃淡を表出させる。また、肉厚部６２は、傾斜面として次第に肉厚を変化して濃淡を表出する。【選択図】      図１
2005131865.tif 000002
【特許請求の範囲】
【請求項１】
透光性を有する樹脂材料を用いて所定の厚みに形成された成形品本体と、この成形品本体に一体成形されるとともに、当該成形品本体の少なくとも一方の面に設けられた肉厚部とを含み、
前記肉厚部は、前記成形品本体の仮想平面と同一平面内で相互に略直交する二方向に沿って厚みを変化することを特徴とする樹脂成形品。
【請求項２】
透光性を有する樹脂材料を用いて所定の厚みに形成された成形品本体と、この成形品本体に一体成形されるとともに、当該成形品本体の少なくとも一方の面に設けられた複数の肉厚部とを含み、
前記肉厚部は所定方向に延出する形状を備えているとともに、その延出方向と、当該延出方向に対して略同一面内で略直交する方向の厚みが変化することを特徴とする樹脂成形品。
【請求項３】
前記厚みの変化は、次第に増加若しくは減少する形状に設けられていることを特徴とする請求項１又は２記載の樹脂成形品。
【請求項４】
前記各肉厚部は、成形品本体に対して波状に連なる形状に設けられ、それらの幅は前記延出方向に沿って次第に増加若しくは減少する形状に設けられていることを特徴とする請求項２又は３記載の樹脂成形品。
【請求項５】
前記各肉厚部は、前記延出方向に対して略直交する方向の中心位置が最大厚みに設けられていることを特徴とする請求項２，３又は４記載の樹脂成形品。
【発明の詳細な説明】
【技術分野】
【０００１】
本発明は、樹脂成形品に係り、更に詳しくは、外面に色の濃淡を表出させる構造と補強構造とを共通する部位によって達成することのできる樹脂成形品に関する。
【背景技術】
【０００２】
従来より、人造大理石等からなる樹脂成形品としては、例えば、注型法によって略一定の厚みに成形された面状をなすキッチンカウンターや、椀状をなす洗面ボウル等が存在する。このような樹脂成形品において、製品の強度を高める場合、裏面側にＦＲＰからなる補強層を設けて耐久性を向上させる構造が知られている。
【発明の開示】
【発明が解決しようとする課題】
【０００３】
しかしながら、このような構造にあっては、前記補強層を形成するための時間や労力が不可避となり、樹脂成形品の製造コストを高騰させるという不都合を生じる。しかも、補強層を形成する場合、ハンドレイアップ法やスプレーアップ法によりＦＲＰを積層する作業が必要となり、当該作業が極めて煩雑になるという不都合も招来する。
【０００４】
ところで、前記人造大理石等の樹脂成形品に色の濃淡からなる模様や色分けを施す場合、当該模様等を形成すべき領域に色の異なる数種類の樹脂材料をそれぞれ配置して成形する形態が考えられる。ところが、このような形態にあっては、複数の樹脂材料を使用及び管理する負担を強いられるという不都合がある。特に、三次元形状を有する樹脂成形品を注型法により成形する場合、キャビティ面が傾斜若しくは起立した領域を有するため、これらの面に対応するキャビティ内に樹脂材料を注入したときに、色の異なる各樹脂材料が不規則に混じり合って模様を所望の領域に配置することが極めて困難となる。
【０００５】
［発明の目的］
本発明は、このような不都合に着目して案出されたものであり、その目的は、簡単な成形作業により、製品強度を高めつつ、色の濃淡を表出させることができる樹脂成形品を提供することにある。
【課題を解決するための手段】
【０００６】
前記目的を達成するため、本発明は、透光性を有する樹脂材料を用いて所定の厚みに形成された成形品本体と、この成形品本体に一体成形されるとともに、当該成形品本体の少なくとも一方の面に設けられた肉厚部とを含み、
前記肉厚部は、前記成形品本体の仮想平面と同一平面内で相互に略直交する二方向に沿って厚みを変化する、という構成を採っている。
【０００７】
また、本発明は、透光性を有する樹脂材料を用いて所定の厚みに形成された成形品本体と、この成形品本体に一体成形されるとともに、当該成形品本体の少なくとも一方の面に設けられた複数の肉厚部とを含み、
前記肉厚部は所定方向に延出する形状を備えているとともに、その延出方向と、当該延出方向に対して略同一面内で略直交する方向の肉厚が変化する、という構成を採っている。
【０００８】
本発明において、前記厚みの変化は、次第に厚みを増加若しくは減少する形状に設けることによって達成ことができる。
【０００９】
また、前記各肉厚部は、成形品本体に対して波状に連なる形状に設けられ、それらの幅は前記延出方向に沿って次第に増加若しくは減少する形状に設けられる、という構成も採用することができる。
【００１０】
更に、前記各肉厚部は、前記延出方向に対して略直交する方向の中心位置が最大厚みとなるように設けることが好ましい。
【発明の効果】
【００１１】
本発明によれば、成形型内に樹脂材料を注入するだけで、肉厚部による補強効果を得ることができ、従来のように補強層を積層する作業を省略して成形作業の簡略化を図ることが可能となる。しかも、肉厚部の厚みと成形品本体の厚みのとの相違により、一種類（一色）の樹脂材料だけで色の濃淡を表現できるようになり、樹脂成形品の質感を容易に高めることが可能となる。すなわち、同一の樹脂材料による成形であっても、肉厚部は、成形品本体に比べて光の透過量が相対的に落ちることになるため、その分、肉厚部の濃度を高くして深み感を表出させることとなる。しかも、肉厚部の延出方向と、これに略直交する方向の何れにおいても厚みが変化する肉厚部とした場合には、肉厚部と成形品本体との濃淡差だけでなく、肉厚部自体の領域内にも濃淡を表出させることができる。
また、肉厚部が波状に連なる形状に設けられた構成では、濃淡が規則的に変化する状態を表出することが可能となる他、肉厚部における波のピーク位置と裾野部におけるクラック発生等も回避可能となる。
【発明を実施するための最良の形態】
【００１２】
以下、本発明の好ましい実施の形態について図面を参照しながら説明する。
【００１３】
［第１実施形態］
図１には、本発明に係る樹脂成形品が洗面ボウルに適用された第１実施形態の概略平面図が示されている。また、図２には、同右側面図が示され、図３には、同正面図が示されている。これらの図において、樹脂成形品としての洗面ボウル１０は、椀状をなす成形品本体１１と、この成形品本体１１の図２中右側に連なるとともに、上部に水栓装置１２が設置されるブロック状の外形をなす載置部１３とを備えて構成されている。
ここで、洗面ボウル１０は、人造大理石等の樹脂材料により成形されており、当該樹脂材料は、成形後に所定の色を有する透光性を発揮するようになっている。なお、前記透光性は、厚みを１０ｍｍに設けたときに、光線透過率が以下の式の範囲内に設定されている。
５％＜樹脂材料の光線透過率（％）＜６０％（好ましくは、１０％＜樹脂材料の光線透過率（％）＜５０％）
また、洗面ボウル１０は、特に限定されるものでないが、図示しないゲルコート層により被覆されている。
【００１４】
前記成形品本体１１は、下方に設けられた排水管Ｐに連通する排水口１５Ａを備えた平面視略円形の底壁部１５と、この底壁部１５の外周に連なって上方に延びる周壁部１６と、この周壁部１６の上端に連なって外方に向けられたフランジ壁部１７とを備えて構成されている。ここで、底壁部１５と周壁部１６との明確な境界は存在しないが、説明の便宜上、水平面及びこれに近い領域が底壁部１５であるものとする。
【００１５】
前記周壁部１６は、底壁部１５と載置部１３との間の領域を形成するとともに、鉛直方向より載置部１３側に若干傾く方向に向けられた第１の領域１９と、この第１の領域１９以外の領域を形成するとともに、上方に向かって次第に外側に傾倒する方向に向けられた第２の領域２０とからなっている。
【００１６】
前記第２の領域２０は、図４及び図５に示されるように、平面断面視したときに、内面形状が周方向に沿って延びる略波状に形成されている。具体的には、第２の領域２０の内面側に突出するとともに、周方向に沿って一定間隔毎に設けられた複数の肉厚部２１と、これら肉厚部２１間にそれぞれ介在する複数の薄肉部２２とを備えた形状をなしている。
【００１７】
前記各肉厚部２１は、図６にも示されるように、第２の領域２０の底壁部１５側（下端側）から上部外縁側に向かって延出する突条をなし、当該突条は、その延出方向の下部より延出方向の上部が次第に肉厚となり、且つ、下部より上部が成形品本体１１の周方向に沿って次第に幅広（図１参照）となるように形成されている。また、各肉厚部２１は、図４に示されるように、突条の先端２１Ａと裾野部２１Ｂに円弧状の曲面を備えた形状に設けられており、前記円弧の半径は１０ｍｍ以上に設定されている。この半径を１０ｍｍより小さくすると、成形時に応力集中によるクラックが発生し易くなる。好ましくは、前記半径を２０ｍｍ以上にするとよく、これにより、成形時の耐クラック性を向上させることができる。ここにおいて、隣り合う肉厚部２１，２１における各裾野部２１Ｂ，２１Ｂの交差位置が前記薄肉部２２とされる。
【００１８】
ここで、肉厚部２１の最大厚みをｔ２とする一方、前記薄肉部２２の厚みをｔ１としたときに、以下の式の範囲となるように前記各厚みｔ２，ｔ１が設定されている。
１．３＜（ｔ２／ｔ１）＜５
前記ｔ２／ｔ１が１．３以下であると、補強効果が十分に得られなくなる一方、ｔ２／ｔ１が５以上であると、成形時にクラックの発生等の問題が発生し易くなる。
【００１９】
前記フランジ壁部１７は、図１に示されるように、周壁部１６の上端に沿う外周縁となるように周方向に延びる略波状に形成されている。
【００２０】
本発明における洗面ボウル１０を注型法により成形する場合、当該洗面ボウル１０に対応するキャビティを備えた成形型を用いて行われる。この際、前記キャビティを形成する面にゲルコートを塗布して硬化させた後、キャビティ内に前述の樹脂材料を注入し、所定温度下で所定時間放置して硬化させればよい。
【００２１】
このように成形された洗面ボウル１０において、突条をなす各肉厚部２１が補強部として作用するようになり、成形品本体１１の剛性を全体的に高めて耐久性や耐衝撃性を良好に維持することが可能となる。また、各肉厚部２１の先端２１Ａにおいて色の濃度が最も高く、各薄肉部２２において色が最も薄い濃淡からなる縞状の模様が表出されることとなる。この模様は、肉厚部２１の先端２１Ａ及び裾野部２１Ｂが曲面とされるため、色の濃淡が次第に移り変わるように表現され、成形品本体１１に奥行き感や高級感を付与することが可能となる。
【００２２】
従って、このような第１実施形態によれば、周壁部１６の周方向に沿って所定間隔毎に肉厚部２１を設けたので、成形品本体１１の補強効果と、色の濃淡による装飾効果とを同時に達成することができ、しかも、一色の樹脂材料の注入により成形が行われるので、作業の簡略化を図ることが可能となる。
【００２３】
［第２実施形態］
次に、本発明の第２実施形態を図７を参照しながら説明する。
この第２実施形態は、樹脂成形品として、平面形状を備えたパネル材に適用したところに特徴を有する。これを更に詳述すると、樹脂成形品としてのパネル材５０は、第１実施形態と同様の光透過率を有する樹脂材料によって構成されている。このパネル材５０は、一定の肉厚を備えた平面視略方形の板状をなす成形品本体５１と、この成形品本体５１の一方の面、すなわち、図７（Ａ）中上面側に設けられるとともに成形品本体５１と一体成形された複数の肉厚部５２とにより構成されている。各肉厚部５２は、それぞれ同一の形状をなし、成形品本体５１の一端から他端に向かって略直線状に延出する突条に形成されている。ここで、肉厚部５２は、図７（Ｂ）ないし（Ｄ）から明らかなように、その延出方向と、当該延出方向に対して略同一面内で直交する方向の肉厚が変化する形状とされている。すなわち、肉厚部５２の幅は、一端側（図７（Ａ）中左端側）が狭く、他端側（同図中右端側）が広く設けられているとともに、左端側の高さが低く、右端側の高さが高くなるように設けられている。また、肉厚部５２は、側面視略波状とされて成形品本体５１に連なるとともに、前記延出方向に対して略直交する方向の中心位置、すなわち、突条の先端が最大厚みとなるように形成されている。なお、肉厚部５２の先端と、裾野部は、前記第１実施形態と同様の曲率を有する曲面に設けられ、また、肉厚部５２の最大厚みと成形品本体５１の厚みの相対関係も、第１実施形態と同様となっている。
第２実施形態におけるパネル材５０は、例えば、キッチンカウンターや、洗面化粧台のカウンター等に適用することができる。この場合、肉厚部が下面側となるように配置すれば、平坦面を上面側として利用することが可能となる。
【００２４】
前記パネル材５０の製造方法も注型法により成形することができ、前記第１実施形態と同様に、前記キャビティを形成する面にゲルコートを塗布して硬化させた後、キャビティ内に前述の樹脂材料を注入し、所定温度下で所定時間放置して硬化させて脱型すればよい。
【００２５】
このような第２実施形態によっても前記第１実施形態と同様の作用、効果を得る。
【００２６】
［第３実施形態］
図８には、本発明の第３実施形態が示されている。この第３実施形態は、前記第２実施形態の変形的な態様であり、肉厚部を面として次第に変化させたところに特徴を有する。すなわち、樹脂成形品としてのパネル材６０は、一定の肉厚を備えた平面視略方形の板状をなす成形品本体６１と、この成形品本体６１の一方の面、すなわち、図８（Ａ）中上面側に設けられるとともに成形品本体６１と一体成形された肉厚部６２とにより構成されている。肉厚部６２は、成形品本体６１の仮想平面Ｐと同一平面内で相互に略直交する二方向（図８（Ａ）中Ｘ，Ｙ方向）に沿って厚みを次第に変化する形状に設けられている。具体的には、図８（Ａ）中点ａ位置が前記仮想平面上にあるとしたときに、点ｂ位置、点ｃ位置が、点ａ位置よりも上方に位置する高さにあり、点ｄ位置が、点ｂ，ｃ位置よりも更に上方に位置する傾斜面となるように肉厚部６２が形成されている。
【００２７】
従って、成形品本体６１及び肉厚部６２を前述した実施形態における樹脂材料と同一材料によって形成したときに、点ａ近傍領域に最も淡い色が表出する一方、点ｂ，ｃに向かって次第に濃度が増し、点ｄ位置の近傍領域に最も濃い色が表出することとなり、全体として見たときに、点ａから点ｄに向かって次第に濃度が濃くなる色合いを表出することとなる。また、Ｘ方向への濃度の変化に加え、Ｘ方向と直交するＹ方向への濃度の変化も形成することができ、よりバリエーションに富んだ意匠を表出することが可能となる。その上、パネル材６０は、濃度が濃くなるに従って、成形品本体６１の面強度を増加させることにもなる。
【００２８】
このような第３実施形態によれば、極めてシンプルな形状であっても、バリエーションに富んだ濃淡を表出させることができるとともに、樹脂成形品としての強度も増加させることができる、という効果を得る。
なお、第３実施形態におけるパネル材６０は、第２実施形態と同様に、キッチンカウンター等に適用することができる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記各実施形態では、成形品本体１１，５１，６１の一方の面に肉厚部２１，５２，６２が設けられた場合を図示、説明したが、成形品本体１１，５１，６１の他方の面にも肉厚部２１，５２，６２を設けてもよい。この際、突条をなす表裏の肉厚部２１，５２は厚み方向に略ぴったり重なり合う相対位置とする他、成形品本体１１，５１の面に沿って横方向にずれて重なり合わないように位置させることも可能である。
また、本発明の樹脂成形品は、洗面ボウルやパネル材の他、樹脂材料で成形可能なものであれば特に限定されるものではない。
【産業上の利用可能性】
【００３１】
本発明に係る樹脂成形品は、主に、一般家庭や店舗における洗面設備、キッチン設備等に利用することができる。
【図面の簡単な説明】
【００３２】
【図１】本発明に係る樹脂成形品が適用された洗面ボウルの概略平面図。
【図２】図１の右側面図。
【図３】図１の正面図。
【図４】図３のＡ−Ａ線に沿う端面図。
【図５】図３のＢ−Ｂ線に沿う端面図。
【図６】図１のＣ−Ｃ線に沿う拡大端面図。
【図７】（Ａ）は第２実施形態に係るパネル材の平面図、（Ｂ）は同正面図、（Ｃ）は（Ａ）のＤ−Ｄ線に沿う端面図、（Ｄ）は（Ａ）のＥ−Ｅ線に沿う端面図。
【図８】（Ａ）は第３実施形態に係るパネル材の平面図、（Ｂ）は（Ａ）のＦ−Ｆ線断面図、（Ｃ）は（Ａ）のＧ−Ｇ線断面図。
【符号の説明】
【００３３】
１０…洗面ボウル（樹脂成形品）、１１…成形品本体、２１…肉厚部、５０…パネル材（樹脂成形品）、５１…成形品本体、５２…肉厚部、６０…パネル材（樹脂成形品）、６１…成形品本体、６２…肉厚部、Ｐ…仮想平面
【図１】
2005131865.tif 000003
【図２】
2005131865.tif 000004
【図３】
2005131865.tif 000005
【図４】
2005131865.tif 000006
【図５】
2005131865.tif 000007
【図６】
2005131865.tif 000008
【図７】
2005131865.tif 000009
【図８】
2005131865.tif 000010